(57)【特許請求の範囲】
【請求項１】
下部フレームの底部にキャスターが取り付けられるとともにその下部フレームの上方におむつ収納部が画成され、前記下部フレームに支持フレームが立設されてその支持フレームの後方に押手フレームが設けられてなるおむつ交換車において、
前記押手フレームを、上部が後方へ向けて傾斜するように配置し、前記下部フレーム上であって前記押手フレームの内側空間に傾動フレームを配置し、この傾動フレームを、前記下部フレームに枢着させて前後に傾動可能で、かつ前方正置位置と後方傾斜位置の少なくとも二位置で保持可能に構成し、前記傾動フレーム上に汚物用ボックスを載置することを特徴とするおむつ交換車。
【請求項２】
前記支持フレームの上部に上部フレームを設けるとともに、この上部フレーム上に保温用ボックスを載置する台部を設け、この台部上に、保温用ボックスの大きさに応じてその載置面積を調整可能な着脱式の仕切り部材を設けることを特徴とする請求項１に記載のおむつ交換車。
【請求項３】
上部フレームの前端部にランドリー袋の口部を引っ掛けるフックを設けることを特徴とする請求項１または２に記載のおむつ交換車。
【発明の詳細な説明】
【０００１】
【発明の属する技術分野】
本発明は、養護老人ホーム等の施設においておむつを交換する際に用いられるおむつ交換車に関するものである。
【０００２】
【従来の技術】
従来、養護老人ホームや病院等の施設において使用されるおむつ交換車としては、下部にキャスターを取り付けるとともに、交換用および交換済のおむつ、蒸しタオル収納用の容器等を載置可能とした大型の交換車が利用されていた。
【０００３】
ところが、このような大型の交換車ではベッドサイドに近づけないことから、おむつ交換時に多くの手間を要するという問題点があった。このような問題点を解消するために、例えば実公平６−２０５０８号公報においては、ブレーキを具備したキャスターを取り付けるとともに、おむつ収納部、用具載置台、ごみ袋、洗濯物入れをコンパクトに配置したおむつ搬送車が提案されている。
【０００４】
【発明が解決しようとする課題】
しかしながら、前記公報に記載のおむつ搬送車においては、洗濯物を入れるための汚物用ボックスが下部に固定的に取り付けられており、しかもその汚物用ボックスの手前側が吊り下げ式のごみ袋により塞がれているために、この汚物用ボックスの使い勝手が余り良くなく、汚物の処理がスムーズに行えないという問題点がある。
【０００５】
また、前記公報に記載のおむつ搬送車では、保温用ボックスが、上部に設けられる用具載置用・記録用台の後側縁に沿って設けられた凹部に沿うように載置される構成であるために、この保温用ボックスの蓋の開閉方向が常に一定の方向となり、この保温用ボックスに対する蒸しタオルの出し入れを搬送車の側方から行いたい場合に、その作業性に難点がある。また、この従来構造では、決められた大きさの保温用ボックスしか載置できないという問題点もある。
【０００６】
本発明は、このような問題点を解消するためになされたもので、第１に、汚物の処理をスムーズに行うことのできるおむつ交換車を提供することを目的とし、また第２に、保温用ボックスに対する蒸しタオルの出し入れ作業の作業性を向上させることのできるおむつ交換車を提供することを目的とするものである。
【０００７】
【課題を解決するための手段および作用・効果】
前記第１の目的を達成するために、本発明によるおむつ交換車は、
下部フレームの底部にキャスターが取り付けられるとともにその下部フレームの上方におむつ収納部が画成され、前記下部フレームに支持フレームが立設されてその支持フレームの後方に押手フレームが設けられてなるおむつ交換車において、
前記押手フレームを、上部が後方へ向けて傾斜するように配置し、前記下部フレーム上であって前記押手フレームの内側空間に傾動フレームを配置し、この傾動フレームを、前記下部フレームに枢着させて前後に傾動可能で、かつ前方正置位置と後方傾斜位置の少なくとも二位置で保持可能に構成し、前記傾動フレーム上に汚物用ボックスを載置することを特徴とするものである。
【０００８】
この第１発明によれば、当該おむつ交換車の移動時には傾動フレームを前方正置位置に保持させることにより、この傾動フレームに載置される汚物用ボックスを押手フレームの内側空間にコンパクトに収納させて、おむつ交換車の移動の際にその汚物用ボックスが邪魔になることがなく、運搬作業をスムーズに行うことができる。一方、汚物用ボックス内の内容物を取り出す際等においては傾動フレームを後方傾斜位置に保持させて汚物用ボックスを後方に傾斜させることにより、汚物用ボックスの上部開口部を作業者側に向けることができ、この開口部からの内容物の取り出し作業等を容易に行うことができる。
【０００９】
本発明においては、さらに、前記第２の目的を達成するために、前記支持フレームの上部に上部フレームを設けるとともに、この上部フレーム上に保温用ボックスを載置する台部を設け、この台部上に、保温用ボックスの大きさに応じてその載置面積を調整可能な着脱式の仕切り部材を設けた構成が採用される。
【００１０】
このように構成すれば、保温用ボックス載置用の台部上に設けられる着脱式の仕切り部材の取り付け位置を保温用ボックスの大きさに応じて移動させることで、どのようなサイズの保温用ボックスであっても台部上に安定保持することができる。また、小さなサイズの保温用ボックスの場合、２個並べて置くことができるので、左右の各保温用ボックスの蓋を中央部を支点にして開閉させるように載置することで、これら保温用ボックスに対する蒸しタオルの出し入れ作業を当該おむつ交換車の側方から容易に行えることになり、その出し入れ作業の作業性を向上させることができる。
【００１１】
前記各発明においては、上部フレームの前端部にランドリー袋の口部を引っ掛けるフックを設けるのが好ましい。こうすることで、ランドリー袋を内容物の出し入れのし易い位置にコンパクトに配することができ、内容物の出し入れの際にはそのランドリー袋の口部を大きく開口して簡単に作業を行うことができる。
【００１２】
【発明の実施の形態】
次に、本発明によるおむつ交換車の具体的な実施の形態について、図面を参照しつつ説明する。
【００１３】
図１は本発明の一実施例に係るおむつ交換車の側面図、図２は同おむつ交換車の正面図、図３は同おむつ交換車の平面図である。また、図４は同おむつ交換車に各ボックス、袋を装着した状態の斜視図である。なお、以下の説明において、前方とはおむつ交換車の進行方向を指すものとする。
【００１４】
本実施例のおむつ交換車は、略コ字形のパイプ材よりなる下部フレーム１と、この下部フレーム１の略中央部に立設される略コ字形のパイプ材よりなる支持フレーム２と、この支持フレーム２の上部に固着される水平配置の上部フレーム３と、支持フレーム２の後方に、上部を上部フレーム３に、下部を下部フレーム１にそれぞれ固着される押手フレーム４とを備えるフレーム構成とされている。
【００１５】
前記下部フレーム１には底部に４個のキャスター５が取り付けられ、これらキャスター５によって所望の方向へ移動できるようにされている。ここで、後方側の２個のキャスター５にはそれぞれストッパが付設されてその回転運動をロックできるようにされている。
【００１６】
前記支持フレーム２には内側にネット状の仕切り枠６が固着され、この仕切り枠６によって前方側におむつ収納部が、後方側に汚物用ボックス収納部がそれぞれ区画されている。おむつ収納部は、ネット状の棚部材７，８によって上下２段に仕切られるとともに、これら棚部材７，８の外周部が縁枠９，１０によって囲まれるようにされている。また、下段の中央部にはネット状の仕切り枠１１が立設され、この仕切り枠１１によって左右の収納空間を区画するようにされている。なお、このおむつ収納部の前端部には後述するランドリー袋４２の背面を支持する背当て部材１２が立設されている。そして、このおむつ収納部においては、上段の棚部材７上に布おむつが収納され、下段の棚部材８上に紙おむつが収納される。本実施例の場合、上段の棚部材７上には約４０枚の布おむつが収納可能であり、また下段の棚部材８上には仕切り枠１１によって仕切られた左右の収納空間にそれぞれ１０枚ずつ計２０枚の紙おむつが収納可能である。これら布おむつおよび紙おむつはいずれも左右の各側方から取り出せるようになっている。
【００１７】
一方、仕切り枠６の後方側に配される汚物用ボックス収納部においては、図５に示されるように、前記下部フレーム１上であって前記押手フレーム４の内側空間に、前後に傾動可能な傾動フレーム１３が設けられている。この傾動フレーム１３は、下部の左右に設けられる板状体１４とそれら左右の板状体１４を連結する複数本のパイプ体１５とよりなる底部材１６と、左右の各板状体１４に固着されて立設されるパイプ体１７の上端部に固着される受け枠１８とにより構成され、左右の各板状体１４の外側部に支持ピン１９が突設され、これら支持ピン１９が下部フレーム１に枢着されることでそれら支持ピン１９を中心にして傾動フレーム１３全体が前後に傾動できるようにされている。
【００１８】
前記受け枠１８には、汚物用ボックス２０を左右に各１個ずつ挿入するために２つの挿入空間２１が形成され、これら挿入空間２１から汚物用ボックス２０を挿入してパイプ体１５上に載置することで、その汚物用ボックス２０が傾動フレーム１３に保持されるようになっている。また、前記受け枠１８の後部中央部には、上方へ向けてＵ字状に折り曲げられてなる取っ手１８ａが形成されている。この取っ手１８ａは傾動フレーム１３の傾動操作時に使用される。
【００１９】
また、押手フレーム４の右側内側部には略Ｌ字形のストッパ棒２２が回動自在に取り付けられており、このストッパ棒２２に対向する受け枠１８の右側部には、前後２箇所の位置にそのストッパ棒２２の先端部が係止される係止孔を有する係止片２３，２４が設けられている。こうして、傾動フレーム１３、言い換えれば汚物用ボックス２０が正置位置（図１の実線位置）にあるときには、後側の係止片２４の係止孔内にストッパ棒２２が挿入されることにより、この汚物用ボックス２０がおむつ交換車の運搬時に作業者の足元の邪魔にならない角度に固定保持される。一方、この汚物用ボックス２０内の内容物を取り出す際には、ストッパ棒２２を係止片２３から抜くとともに、取っ手１８ａ手前にを引いて傾動フレーム１３を支持ピン１９周りに後方へ傾動させ、この傾動位置（図１の鎖線位置）で前側の係止片２３の係止孔内にストッパ棒２２を挿入することにより、汚物用ボックス２０が内容物を取り出し易い角度に固定保持される。本実施例の場合、汚物用ボックス２０として、足踏みペダルによって蓋が開閉するタイプのものが用いられている。なお、汚物用ボックス２０は２個設けられているので、汚物を分別して入れることが可能である。
【００２０】
次に、前記押手フレーム４は、全体として略コ字形のパイプ材よりなり、該フレームの上部が後方へ向けてやや傾斜するように配置され、上部の水平部分の掴み手となる箇所にゴムもしくは樹脂よりなる滑り止め部材２５が取り付けられて形成されている。
【００２１】
前記上部フレーム３は、板材を折り曲げて上面が水平面に形成された台部２６と、この台部２６の前方に配されるバスケット載置部２７とにより構成されている。台部２６の下部空間には２個の塩化ビニル製の小物入れ用トレー２８が収納され、これらトレー２８が後方側から引き出し可能に構成されている。これらトレー２８内には、例えば体温計、軟膏、テープ類のような小物が収納されるようになっている。
【００２２】
また、台部２６の上面は仕切り枠２９によって後方側の保温用ボックス収納部３０と前方側の小物入れ部３１とに区画されるとともに、外周部が縁枠３２によって取り囲まれている。また、小物入れ部３１は４つの仕切り枠３３ａ，３３ｂ，３３ｃ，３３ｄによって５つの区画に仕切られている。この小物入れ部３１には、ペン立て、ウエットティッシュ等の小物が収納される。
【００２３】
図６に示されるように、仕切り枠２９とそれに対向する後方側の縁枠３２との間には着脱式仕切り部材３４が取り付け取り外し可能に設けられている。この着脱式仕切り部材３４は、図６（ｂ）に示されているように、矩形の枠形部材の両端部を一方向に折り曲げて形成され、取り付け時にその折り曲げ部が仕切り枠２９と縁枠３２とを跨いで保持されるようにその長さが設定されている。また、この着脱式仕切り部材３４の幅は、隣接する仕切り枠３３ｂ，３３ｃ間の間隔ｄ２に略一致する幅とされて、取り付け時にその仕切り部材３４が左右方向に移動しないようにされている。本実施例の場合、小物入れ部３１の両側の縁枠３２と仕切り枠３３ａもしくは３３ｄとの間隔ｄ１，ｄ３も間隔ｄ２に等しくされ、これによって図６（ｃ）に示されているように、着脱式仕切り枠３４を保温用ボックス収納部３０の左端部もしくは右端部にも取り付けることができるようにされている。
【００２４】
こうして、着脱用仕切り部材３４を図６（ａ）に示されるように保温用ボックス収納部３０の中央部に取り付けることで、この保温用ボックス収納部３０には左右に各１個ずつ計２個の小型の保温用ボックス３５を載置することができ、一方着脱用仕切り部材３４を図６（ｃ）に示されるように保温用ボックス収納部３０の左端部もしくは右端部に取り付けることで、この保温用ボックス収納部３０には１個の大型の保温用ボックス３６を載置することができる。なお、小型の保温用ボックス３５の場合、図４に示されるように左右の各保温用ボックス３５，３５の蓋を着脱式仕切り部材３４に面する側を支点にして開閉させるようにすることで、これら保温用ボックス３５に対する蒸しタオルの出し入れ作業を当該おむつ交換車の側方から容易に行うことが可能となる。また、大型の保温用ボックス３６の場合、仕切り枠２９に面する側を支点にして開閉させるようにすることで、蒸しタオルの出し入れ作業をおむつ交換車の後方側から行うことができる。ここで、１個の保温用ボックス３５には、通常のお絞りタオルが３０〜４０本収納可能である。
【００２５】
なお、前記台部２６の側板には数個の丸孔３７が穿設されている。これら丸孔３７は、Ｓ字状フックによって書記板やバケツ等を吊り下げるのに利用されるのが好適である。
【００２６】
一方、前記バスケット載置部２７においては、前記台部２６の前部に固着される略コ字形のパイプ体３８と、このパイプ体３８の内側に配される２本の支持桟３９とが設けられ、パイプ体３８の内側空間であって支持桟３９上にメッシュバスケット４０が載置されるようになっている。このメッシュバスケット４０内には例えば下着類等が収納される。なお、このメッシュバスケット４０を取り外した状態では、おむつ収納部の上段の棚部材７上に載置されている布おむつを上方から取り出すことも可能である。
【００２７】
前記パイプ体３８の前部には２個のフック４１が前方へ向けて取り付けられている。これらフック４１には、布おむつや下着類等を収納するランドリー袋４２が前記背当て部材１２に背面を支持されて吊り下げられるようになっている。このランドリー袋４２は、口部にワイヤーが装着されて補強されるとともに、２個の後面孔と２個の前面穴との計４個の孔４３を有して、後面孔のみをフック４１に引っ掛けて口部を大きく開くことも、後面孔と前面穴の両者をフック４１に引っ掛けて口部を閉じることもできるようにされている。
【００２８】
以上のように、本実施例のおむつ交換車によれば、おむつを搬送するのは勿論のこと、保温用ボックス３５、メッシュバスケット４０、汚物用ボックス２０、ランドリーボックス４２のほか各種小物をも同時に搬送することができ、しかもそれら各物品を全体としてコンパクトに纏めて配置することができるので、患者のすぐそばまで近付いて介護を行うことができるとともに、おむつの出し入れ、汚物の処理、蒸しタオルの出し入れ等も容易に行うことができるという長所を有している。
【００２９】
特に、汚物用ボックス２０が傾動フレーム１３に支持されていて、おむつ交換車の移動時には傾動フレーム１３を前方正置位置に保持させて、運搬作業をスムーズに行うことができるとともに、汚物用ボックス２０内の内容物を取り出す際等においては傾動フレーム１３を後方傾斜位置に保持させて、開口部からの内容物の取り出し作業等を容易に行うことができる。
【００３０】
また、保温用ボックス収納部３０においては、着脱式仕切り部材３４を保温用ボックス３５，３６の大きさに応じて移動させることで、どのようなサイズの保温用ボックスであっても安定して保持することができる。また、小型の保温用ボックス３５の場合、２個並べて置くことができるので、左右の各保温用ボックスの蓋をその着脱式仕切り部材３４側を支点にして開閉させることで、これら保温用ボックス３５に対する蒸しタオルの出し入れ作業を当該おむつ交換車の側方から容易に行えることになり、その出し入れ作業の作業性を向上させることができるという効果を奏するものである。
【図面の簡単な説明】
【図１】図１は、本発明の一実施例に係るおむつ交換車の側面図である。
【図２】図２は、本実施例のおむつ交換車の正面図である。
【図３】図３は、本実施例のおむつ交換車の平面図である。
【図４】図４は、本実施例のおむつ交換車に各ボックス、袋を装着した状態の斜視図である。
【図５】図５は、傾動フレームの詳細構造を示す斜視図である。
【図６】図６（ａ）は、保温用ボックス収納部および小物入れ部の一使用例を示す平面図、図６（ｂ）は、着脱用仕切り部材の斜視図、図６（ｃ）は、保温用ボックス収納部および小物入れ部の他の使用例を示す平面図である。
【符号の説明】
１        下部フレーム
２        支持フレーム
３        上部フレーム
４        押手フレーム
５        キャスター
７，８    棚部材
１３      傾動フレーム
１９      支持ピン
２０      汚物用ボックス
２２      ストッパ棒
２３，２４  係止片
２６      台部
２７      バスケット載置部
２８      小物入れ用トレー
３４      着脱式仕切り部材
３５，３６  保温用ボックス
４０      メッシュバスケット
４１      フック
４２      ランドリー袋
【図１】
0004331293.tif 000002
【図２】
0004331293.tif 000003
【図３】
0004331293.tif 000004
【図４】
0004331293.tif 000005
【図５】
0004331293.tif 000006
【図６】
0004331293.tif 000007